(57)【要約】【課題】診断対象値と標準値とを多角形ベンチグラフによって表示することができる医師のための診断支援用の心電図情報表示方法を提供すること。【解決手段】測定電極から得られる心電図波形の特徴値及び該特徴値を測定した測定電極が同一である、三組以上の標準値データ及び診断対象値データであって、表示画面１１に正多角形グラフ１２と非正多角形グラフ１３とを表示し、標準値データを正多角形グラフ１２の各頂点に位置させ、診断対象値データを非正多角形グラフ１３の各頂点に位置させる。非正多角形グラフ１３は、正多角形グラフ１２の面積中心から非正多角形グラフ１３の頂点及び正多角形グラフ１２の頂点を通る全ての放射直線１５，１６，１７，１８，１９，２０を目盛ピッチが異なる数直線としたとき、各数直線上に位置する診断対象値データが、同じ数直線上に位置する標準値データに対応する位置にポイントを取り、隣接するポイント同士を直線で結んでなる。【選択図】  図１
2009090013.tif 000002
【特許請求の範囲】
【請求項１】
測定電極から得られた心電図波形の特徴値と前記心電図波形を測定した測定電極との組み合わせが同一である、三組以上の標準値データ及び診断対象値データを用いて、表示出力装置の表示画面に、正多角形グラフと非正多角形グラフとを重畳表示し、前記標準値データを正多角形グラフの各頂点に位置させ、前記診断対象値データを非正多角形グラフの各頂点に位置させる心電図情報表示方法であり、
前記非正多角形グラフは、前記正多角形グラフの面積中心から各頂点を通る全ての放射直線上に頂点を有し、前記非正多角形グラフの各頂点の位置は前記標準データに対する前記診断対象値データに基づき決定される、
ことを特徴とする心電図情報表示方法。
【請求項２】
前記表示画面にキャラクタ表示部を備え、該キャラクタ表示部に、前記心電図測定において、前記測定電極を同一にしてミネソタコード等の標準心電図測定が並行して行なうことにより得られる該ミネソタコード等の標準資料を表示できるようになっていて、データベースに記憶されるように構成されている
ことを特徴とする請求項１に記載の心電図情報表示方法。
【請求項３】
表示する特徴値が同一であることを条件として、データベースに蓄積された同一のミネソタコード等の標準資料が表示されたときの以前の他人の診断対象値データに係る多角形グラフを識別可能に、前記診断対象値データの多角形グラフに重畳させて表示する、
ことを特徴とする請求項１又は２に記載の心電図情報表示方法。
【請求項４】
前記標準値データは、データベースから読み出され、前記診断対象値データに係る被診断者と略同年代・同性の複数人について心電図測定して異常がなく得られたときの測定値を平均化したデータである、
ことを特徴とする請求項１乃至３のいずれか一に記載の心電図情報表示方法。
【請求項５】
前記正多角形グラフの表示に用いられた前記標準値データは、前記診断対象値データに係る被診断者が、以前に１回心電図測定して異常がなく得られたときの測定値をデータであるか、又は以前に複数回心電図測定して異常がなく得られたときの測定値を平均化したデータである、
ことを特徴とする請求項１乃至４のいずれか一に記載の心電図情報表示方法。
【請求項６】
前記標準値データと前記診断対象値データとの対比表示は、
心電図測定の心拍信号から得られるＰ波の電位、Ｒ波の電位、ＳＴ間の水平部分の電位、Ｔ波の電位、Ｕ波の電位、ＰＱ時間、ＱＴ時間、Ｒ波から次のＲ波の間隔時間、Ｑ波からＳ波までの時間、Ｐ波・Ｒ波・Ｔ波の各面積、Ｐ波・Ｒ波・Ｔ波の各半値幅等の特徴値の中の一つを、心電図測定における測定電極の一種類と関連させて一つの特徴値として特定するものとして、同一の特徴値同士の対比表示である、
ことを特徴とする請求項１乃至５のいずれか一に記載の心電図情報表示方法。
【請求項７】
正比例する位置にポイントを取ろうとするとき、該ポイントがグラフ表示の限界を超えるときは、限界ポイントに位置を取ってグラフ表示する、
ことを特徴とする請求項１乃至６のいずれか一に記載の心電図情報表示方法。
【請求項８】
複数の測定電極から得られた心電図波形を解析して表示する心電図測定装置であって、
前記測定電極から得られた心電図波形から複数の特徴値を抽出し診断対象値データとする特徴値抽出手段と、
過去の心電図波形の特徴値を標準値データとして記憶する標準データ記憶手段と、
前記診断対象値データと前記標準値データとを解析する解析手段と、
前記解析手段による解析結果を表示する表示出力装置とを有し、
前記表示出力装置は、前記測定電極から得られた心電図波形の特徴値と前記心電図波形を測定した測定電極との組み合わせが同一である、三組以上の標準値データ及び診断対象値データを用いて、前記表示出力装置の表示画面に、正多角形グラフと非正多角形グラフとを重畳表示し、前記標準値データを正多角形グラフの各頂点に位置させ、前記診断対象値データを非正多角形グラフの各頂点に位置させて、表示し、
前記非正多角形グラフは、前記正多角形グラフの面積中心から各頂点を通る全ての放射直線上に頂点を有し、前記非正多角形グラフの各頂点の位置は前記標準データに対する前記診断対象値データに基づき決定される、
ことを特徴とする心電図測定装置。
【発明の詳細な説明】
【技術分野】
【０００１】
本発明は、心電図検診において医師のための診断支援用の心電図測定装置の表示装置の心電図情報表示について診断対象値と標準値とをベンチグラフで表示する心電図情報表示方法及び心電図測定装置に関する。
【背景技術】
【０００２】
心電図（ＥＣＧ：  Electrocardiogram）は、心臓の電気的な活動の様子をグラフの形に記録することで、心疾患の診断と治療に役立てるものである。１２誘導心電図は、最も一般的な心電図で、四肢に取り付ける肢誘導４本と、胸部に取り付ける胸部誘導６本からなる。肢誘導から６種の波形を導出し、また肢誘導全体を接地として胸部誘導それぞれから１種ずつの波形を導出するため、１２種の波形が記録される。
【０００３】
心電図の波形を見て心臓の電気生理学に対応させながら読み解くことで心臓の機能について多くの知見をもたらす。心電図の波形を観察して、Ｒ−Ｒ間隔が一定であるか否か、Ｓ波とＴ波の間に通常見られる０ｍＶの水平区間に上下方向の変位があるか否か（ＳＴ変化）、Ｔ波の形に変化があるか否か、ＱＴ時間が標準よりも長いか否か、ＱＲＳ波の立ち上がりにおいて、傾斜の緩い立ち上がりが先行するデルタ波があるか否か、ＱＲＳ波形に異常があるか否か、Ｕ波がＴ波よりも高くなっているかなどを読み解くことにより異常が起きているかを判断すると言われる。しかしながら、心電図の波形を見てどういう異常が起きているかを判断することはなかなか容易ではない。そこで、基本的には、ミネソタコードを例としてあげ得るような標準資料との対応を示すための解析が行われ、あわせて所見が示されるようになっている。
【０００４】
しかし、ミネソタコードを例としてあげ得るような標準資料による解析ではなお判断が難しいので、例えば、以下のような発明が提案されている。
【０００５】
特許文献１によれば、心房遅延電位を得るために、心電図のＰ波検出が確実に行えるようにII誘導をリファレンス波形とし、ＱＲＳＴ波形テンプレートを作成し、テンプレート波形の最小点が“０”となるようにオフセットし、対象となる心電図のＲ波を検出すると共に対象波形の最小値が“０”になるようにオフセットを重畳させ、テンプレート波形と対象となる心電図の最大値がほぼ同じとなるように規格化し、テンプレート波形と対象となる前記心電図波形で最小自乗法により差が最も小さい位置で心電図波形をテンプレート波形で差し引き、Ｐ波を検出し、被検者より収集した心電図の心房遅延電位を検出することが提案されている。
【０００６】
特許文献２によれば、急性冠動脈症候群を検出するために、ある患者から収集デバイスにより心電図を収集し、収集した複数の心電図のうち、先に収集した指標心電図と、検診時の心電図とをリアルタイムで比較することが提案されている。
【０００７】
【特許文献２】特開２００２−３０６４３７号公報
【特許文献３】特開２００３−１５９２２６号公報
【発明の開示】
【発明が解決しようとする課題】
【０００８】
しかしながら、心電図測定は広汎にかつ柔軟性を有して効果的に行われる必要があり、特許文献１や特許文献２に示すような特定の症状についての心電図特性を示せるだけでは十分ではない。
仮に、医師が心電図測定から得られる多様なデータを適宜に抽出することができて、正常な標準値と診断対象値とをベンチマーク方式で評価できれば、ミネソタコードによる解析と合わせて、診断に正確性、信頼性が出てくる。また、それによって何よりも医師が使いやすく判断が容易かつ正確に行える心電図測定を実施できることになる。
【０００９】
本発明は、上記の事情に鑑み案出したもので、心電図検診において医師のための診断支援用の心電図測定装置の表示装置の心電図情報表示について、診断対象値と標準値とをベンチグラフによって表示することにより異常の有無を判定できる心電図情報表示方法を提供することを目的とする。
【課題を解決するための手段】
【００１０】
課題を解決するために請求項１の発明は、測定電極から得られた心電図波形の特徴値と前記心電図波形を測定した測定電極との組み合わせが同一である、三組以上の標準値データ及び診断対象値データを用いて、表示出力装置の表示画面に、正多角形グラフと非正多角形グラフとを重畳表示し、前記標準値データを正多角形グラフの各頂点に位置させ、前記診断対象値データを非正多角形グラフの各頂点に位置させる心電図情報表示方法であり、前記非正多角形グラフは、前記正多角形グラフの面積中心から各頂点を通る全ての放射直線上に頂点を有し、前記非正多角形グラフの各頂点の位置は前記標準データに対する前記診断対象値データに基づき決定される、心電図情報表示方法ことを特徴とする。
【００１１】
請求項２に記載の発明は、請求項１に記載の構成に加え、前記表示画面にキャラクタ表示部を備え、該キャラクタ表示部に、前記心電図測定において、前記測定電極を同一にしてミネソタコード等の標準心電図測定が並行して行なうことにより得られる該ミネソタコード等の標準資料を表示できるようになっていて、データベースに記憶されるように構成されていることを特徴とする。
【００１２】
請求項３に記載の発明は、請求項１又は２に記載の構成に加え、表示する特徴値が同一であることを条件として、データベースに蓄積された同一のミネソタコード等の標準資料が表示されたときの以前の他人の診断対象値データに係る多角形グラフを識別可能に、前記診断対象値データの多角形グラフに重畳させて表示することを特徴とする。
【００１３】
請求項４に記載の発明は、請求項１乃至３のいずれか一に記載の構成に加え、前記標準値データは、データベースから読み出され、前記診断対象値データに係る被診断者と略同年代・同性の複数人について心電図測定して異常がなく得られたときの測定値を平均化したデータである、ことを特徴とする。
【００１４】
請求項５に記載の発明は、請求項１乃至４のいずれか一に記載の構成に加え、前記正多角形グラフの表示に用いられた前記標準値データは、前記診断対象値データに係る被診断者が、以前に１回心電図測定して異常がなく得られたときの測定値をデータであるか、又は以前に複数回心電図測定して異常がなく得られたときの測定値を平均化したデータである、ことを特徴とする。
【００１５】
請求項６に記載の発明は、請求項１乃至５のいずれか一に記載の構成に加え、前記標準値データと前記診断対象値データとの対比表示は、心電図測定の心拍信号から得られるＰ波の電位、Ｒ波の電位、ＳＴ間の水平部分の電位、Ｔ波の電位、Ｕ波の電位、ＰＱ時間、ＱＴ時間、Ｒ波から次のＲ波の間隔時間、Ｑ波からＳ波までの時間、Ｐ波・Ｒ波・Ｔ波の各面積、Ｐ波・Ｒ波・Ｔ波の各半値幅等の特徴値の中の一つを、心電図測定における測定電極の一種類と関連させて一つの特徴値として特定するものとして、同一の特徴値同士の対比表示である、ことを特徴とする。
【００１６】
請求項７の発明は、請求項１乃至６のいずれか一に記載の構成に加え、正比例する位置にポイントを取ろうとするとき、該ポイントがグラフ表示の限界を超えるときは、限界ポイントに位置を取ってグラフ表示する、ことを特徴とする。
【００１７】
請求項８の発明は、複数の測定電極から得られた心電図波形を解析して表示する心電図測定装置であって、前記測定電極から得られた心電図波形から複数の特徴値を抽出し診断対象値データとする特徴値抽出手段と、過去の心電図波形の特徴値を標準値データとして記憶する標準データ記憶手段と、前記診断対象値データと前記標準値データとを解析する解析手段と、前記解析手段による解析結果を表示する表示出力装置とを有し、前記表示出力装置は、前記測定電極から得られた心電図波形の特徴値と前記心電図波形を測定した測定電極との組み合わせが同一である、三組以上の標準値データ及び診断対象値データを用いて、前記表示出力装置の表示画面に、正多角形グラフと非正多角形グラフとを重畳表示し、前記標準値データを正多角形グラフの各頂点に位置させ、前記診断対象値データを非正多角形グラフの各頂点に位置させて、表示し、前記非正多角形グラフは、前記正多角形グラフの面積中心から各頂点を通る全ての放射直線上に頂点を有し、前記非正多角形グラフの各頂点の位置は前記標準データに対する前記診断対象値データに基づき決定される、心電図測定装置としたことを特徴とする。
【発明の効果】
【００１８】
本発明によれば、心電図検診において医師のための診断支援用の心電図測定装置の表示装置の心電図情報表示について、心電図データの複数の特徴値の標準値を各頂点として正多角形グラフを表示したときに診断対象値の多角形グラフを重畳表示することができ、診断対象値の標準値に対する変位量がきわめて容易に視認可能となり、心電図測定において心臓に異常があるか否かの医師の判断のための支援として役立つ。
【発明を実施するための最良の形態】
【００１９】
以下に本発明の実施の形態を図面を参照して説明する。
【００２０】
〔基本的構成〕
図１には、実施の形態１の心電図情報表示方法に係る六角形ベンチグラフを示す。
１１は、心電図測定を行うコンピュータシステムの液晶表示装置、プラズマ表示装置等の表示出力装置の表示画面である。さらに詳しくは、心電図検診において医師のための診断支援用の心電図測定装置の表示装置の心電図情報表示について診断対象値と標準値とのベンチグラフを表示する表示画面である。
【００２１】
この表示画面１１には、同心配置の大小二つの正六角形１２，１４と、小さい正六角形１２に対応している非正六角形１３とを有する六角形ベンチグラフがこの例では一つ表示される。小さい正六角形１２は、標準値データに係るグラフであり、六つの頂点に六種類の標準値データが対応している。正六角形１２は、標準値データの大きさにかかわらず一定の大きさに表示される。非正六角形１３は、診断対象値データに係るグラフであり、六種類の診断対象値データに応じて六つの頂点が決まる。大きい正六角形１４は、表示画面における診断対象値データ１３の表示限界を示す正六角形である。大きい正六角形１４は、表示しなくても良い。六角形のグラフ線の表示を見やすくするために、三つの六角形１２，１３，１４を、色及び線の太さが異なって表示されるようになっているものとする。
【００２２】
（一種類のデータについて）
一種類のデータとは、測定電極との関係付けた一つの特徴値の測定値をいう。特徴値とは、図２に示すように、心電図に特徴的に表れるＰ波の電位、Ｒ波の電位、ＳＴ間の水平部分の電位、Ｔ波の電位、Ｕ波の電位、ＰＱ時間、ＱＴ時間、Ｒ波から次のＲ波の間隔時間、Ｑ波からＳ波までの時間、Ｐ波・Ｒ波・Ｔ波の各面積、Ｐ波・Ｒ波・Ｔ波の各半値幅等の特徴値をいう。同一の特徴値とは、測定電極が同一であることを前提とする。
例えば、Ｐ波の電位であっても、胸部六誘導と四肢六誘導による心電図測定を行うと、測定電極が１２種類あって、各測定電極からそれぞれ異なった測定値が得られる。例えば、同じＰ波の電位同士であっても、測定電極がＶ1とＶ2のように相違すれば、比較する意味が殆どない。従って、ここでは、１つの測定電極から得られる１つの特徴値の測定値を一種類のデータというものとする。
【００２３】
（放射直線について）
正六角形１２の中心より該正六角形１２の一つの頂点を通り正六角形１４の頂点に至る放射直線１５，１６，１７，１８，１９，２０を引いたとき、一つの放射直線上に位置する正六角形１２の一つの頂点の標準値データと非正六角形１３の一つの頂点の診断対象値データとは同一種類の測定値である。一つの放射直線上に位置する標準値データと診断対象値データは、いずれも例えば、Ｖ1の測定電極のＰ波の電位である。
なお、放射直線は、診断対象値データをポイント取りするために必要な概念であり、表示してもしなくても良い。
【００２４】
（診断対象値データの意義）
非正六角形１３の各頂点にポイント取りされる診断対象値データとは、心電図検診を行って得られた被診断者の診断対象値データである。例えば、一つの放射直線上の標準値データと診断対象値データとは、例えば、Ｖ1のＲ波の電位とＶ4のＲ波の電位とを示すことはなく、また、Ｖ1のＰ波の電位とＶ1のＲ波の電位とを示すことはなく、必ず、電極が同一及び特徴値が同一の条件で表示される。
【００２５】
（標準値データの意義）
小さい正六角形１２の各頂点にポイント取りされる標準値データとは、他人（被診断者とは別人）について胸部六誘導や四肢六誘導、その他の心電図測定を行って測定電極の心拍信号から得られる各特徴値の異常が見られない測定値の平均値、または被診断者本人の診断時より前に行った心電図測定により得られる各特徴値の異常が見られない測定値もしくは平均値をいうものとする。
標準値データとしては、例えば、１００人、５００人、１０００人、５０００人、１００００人、…といった複数人について心電図測定を行った測定値をデータベースに蓄積し、その中から、診断対象値データに係る被診断者と略同年代・同性の、かつ心電図測定が異常なく得られた測定値を平均化したデータを用いるのが好ましい。このような標準値データと診断対象値データとを比較すると、被診断者と略同年代・同性との比較になるので、診断対象値データの標準値データに対する偏り・振れは信頼性が高いものとして表示される。
診断において、例えば大人の標準値データと子供の診断対象値データとを比較して該子供の診断をしたり、成人男性の標準値データと成人女性の診断対象値データとを比較して該成人女性の診断をしたりすることはしない。
標準値データの蓄積には、心電図測定を多数行って測定データを蓄積し解析する標準値データを準備する長期間が必要になる。また、人によっては、他人とは異なった心電図を示す場合がある。
そこで、標準値データとして、診断対象値データに係る被診断者の、以前に１回心電図測定して異常がなく得られたときの測定値をデータであるか、又は以前に複数回心電図測定して異常がなく得られたときの測定値を平均化したデータを用いることができるようにする。これにより、被診断者、本人の正常時の心電図データがある場合には、現在（診断時）と比較して心電図の正常・異常を判断できる。
【００２６】
（正六角形１２の表示の大きさ）
小さい正六角形１２の表示の大きさは、年齢・性別に関係なく、常に一定の大きさに表示して差し支えない。小さい正六角形１２を標準として診断対象値データに係る六つの頂点をポイント取りして非正六角形１３を描画するために、この実施の形態では、正多角形グラフ１２の中心から各頂点を通る放射直線を描画し（実際に表示しなくても良い）、この放射直線上に、正多角形グラフ１２の中心またはその近傍に測定値ゼロのポイントを取り、正六角形１２の各頂点に標準値データのポイントを取り、診断対象値データのポイントについては、標準値データとポイントと正比例の関係に原則表示するようになっている。大人のデータと子供のデータのいずれか一方を標準値データとし、他方を
【００２７】
（放射直線上の診断対象値データのポイント）
図１に示すように、小さい正六角形１２の中心から各頂角までの距離をａとし、かつ各頂角の標準値データの大きさをＤ１、Ｄ２、Ｄ３、Ｄ４、Ｄ５、Ｄ６とし、並びに小さい正六角形１２の中心から非正六角形１３の各頂角までの距離をｂ１、ｂ２、ｂ３、ｂ４、ｂ５、ｂ６とし、かつ各頂角にポイント取りする診断対象値データをｄ１、ｄ２、ｄ３、ｄ４、ｄ５、ｄ６とすれば、標準値データと診断対象値データは、それぞれ一放射直線上の正比例する二位置にポイントを取るので、（１）の一般式が成り立つので、（２）〜（７）式が成り立ち、プログラムにより計算される。
ｂ１、ｂ２、ｂ３、ｂ４、ｂ５、ｂ６＝診断対象値データ÷標準値データ×ａ    ……（１）式
ｂ１＝ｄ１÷Ｄ１×ａ    ……（２）式
ｂ２＝ｄ２÷Ｄ２×ａ    ……（３）式
ｂ３＝ｄ３÷Ｄ３×ａ    ……（４）式
ｂ４＝ｄ４÷Ｄ４×ａ    ……（５）式
ｂ５＝ｄ５÷Ｄ５×ａ    ……（６）式
ｂ６＝ｄ６÷Ｄ６×ａ    ……（７）式
Ｄ１〜Ｄ６、ｄ１〜ｄ６が電圧であって、マイナスの領域で変化するときは、絶対値を取り扱うものとする。
標準値データの具体的な数値が示されるようになっていることが好ましいが、示されなくても良い。
【００２８】
（非正三角形のグラフ１３の描画）
図１の非正三角形のグラフ１３は、正多角形グラフ１２の中心から各頂点を通る放射直線上に、標準値データと同一要素の複数の診断対象値データｄ１、ｄ２、ｄ３、ｄ４、ｄ５、ｄ６を、（２）〜（７）式で求めたポイントが決まったら、隣接するポイント同士を直線で結んでされる（プログラムにより描画される）。
【００２９】
（ミネソタコードなどの標準資料の表示）
表示出力装置の表示画面１１には、同心状態に表示する大小二つの正六角形１２，１４に、非正六角形１３を表示するほかに、キャラクタ表示部２１にミネソタコードなどを例とする標準資料を表示できるようになっている。すなわち、本発明の心電図測定・心電図表示を行う場合、併行して既存の心電図測定装置による心電図測定を行う。
既存の心電図測定装置では、判定結果としてミネソタコードなどを例とする標準資料及び該標準資料に対応したコメントを出力するようになっているので、この標準資料を読み取ってキーボードスイッチ（入力装置）から入力するか、又は、標準資料を出力する信号を入力して、キャラクタ表示部２１にミネソタコードなどを例とする標準資料を表示できるようになっているものとする。表示画面１１に標準資料を表示した後は、この標準資料とともに、このコンピュータシステムのデータベースに記憶されるようになっているものとする。
これによって、ミネソタコードなどの標準資料が同一の、かつ、年齢がほぼ同じで同性の心電図データを複数集めて、標準資料毎に基準化することが可能になり、標準資料に対応した非六角形のグラフ表示が可能になる。さらに、被診断者の心電図測定において、併行して行う既存の心電図測定装置の結果が異常を示す標準資料を表示したときに、データベースに保管された同一の標準資料が付けられた心電図データを選択的に読み出して、三つの六角形１２，１３，１４を表示する表示画面１１に第４の六角形グラフ（不図示）として重畳表示（参考表示）することが可能になり、診断に役立つ。なお、キャラクタ表示部２１には、被診断者のＩＤ、氏名、年齢、性別、コメント（例えば診断時の状態）が入力装置を介して入力されるようになっている。
【００３０】
正多角形グラフ１２の中心から各頂点を通る放射直線についてさらに説明する。
この実施の形態の放射直線は、前述したように、六つの放射直線を尺度が異なった数直線として考えて、六つの診断対象値データをポイント取りして表示するものと考えることができる。この構成によれば、小さい正六角形１２の頂点にポイント取りした標準値データの値が小さいものほど、診断対象値データは標準値データと比較して僅かな差であっても大きな偏差で現れる。
例えば、四肢六誘導の六つのＲ波について、正多角形グラフ１２と非正六角形１３とを描画する場合、標準値データに対して診断対象値データが電圧値偏差が同一でも、第Ｉ誘導、第III誘導、aVL誘導の各Ｒ波は、第II誘導、aVR誘導、aVF誘導の各Ｒ波よりも大きい偏差で現れる。これによって、異常が何処に現れるかを見つけ易い。
【００３１】
また前述したように、放射直線上に、正多角形グラフ１２の中心またはその近傍に測定値ゼロのポイントを取り、正六角形１２の各頂点に標準値データのポイントを取り、診断対象値データのポイントについては、標準値データとポイントと正比例の関係に原則表示する場合、メモリ尺度が大きい放射直線上にポイント取りする特徴値の診断対象値データにあっては、心臓疾患、その他によりプラスの方向に大きく変化すると、グラフ表示のエリアを超えてしまう場合がありうる。そのようなときは、大きい正六角形１４の頂点にポイントを取るものとして表示する。また、この特徴値がマイナスの方向に大きく変化するときは、小さい正六角形１２の中心または中心近傍を限度としてポイントを取り表示する。なお、特徴値の絶対値を表示する場合には、測定値がマイナスの方向に変化する場合でもグラフではプラスの方向（頂点の外方）に変化する。
【００３２】
〔実施の形態１〕
図３〜図８に、本発明の心電図情報表示方法により表示される実施の形態１にかかる六角形ベンチグラフを示す。図３〜図８は、順次に切り替え表示されるように構成されている。表示画面２２Ａ〜２２Ｆには、二つの六角形ベンチグラフが左右に表示され、各六角形ベンチグラフは、小さい正六角形２３ａ又は２３ｂと、大きい正六角形２５ａ又は２５ｂと、小さい正六角形２３ａ又は２３ｂに対応している非正六角形２４ａ又は２４ｂとを備え、及びミネソタコードなどを例とする標準資料を入力表示するキャラクタ表示部２１を備えて表示する。実施の形態１と同様に、小さい正六角形２３ａ、２３ｂは、標準値データに係るグラフであり、非正六角形２４ａ、２４ｂは、診断対象値データに係るグラフであり、大きい正六角形２５ａ、２５ｂは、表示限界を示すものである。
【００３３】
右側の六角形ベンチグラフは、小さい正六角形２３ａの六つの頂点に、胸部誘導での心電図測定の六つの測定電極であるＶ1誘導、Ｖ2誘導、Ｖ3誘導、Ｖ4誘導、Ｖ5誘導、Ｖ6誘導の心拍信号から得られた１つの標準値データが示され、非正六角形２４ａの六つの頂点に、四股誘導での心電図測定の六つの測定電極であるaVR誘導，aVL誘導，aVF誘導、第Ｉ誘導，第II誘導，第III誘導の心拍信号から得られた１つの標準値データが示される。
【００３４】
図３〜図８に示すように、表示画面２２Ａ〜２２Ｆの下側部分（例示）に、「Ｐ波」、「Ｒ波」、「Ｔ波」、「Ｐ波半値幅」、「Ｒ波半値幅」、「Ｔ波半値幅」の６個の選択ボタン２３〜２８があり、入力装置（キーボード）を操作して「Ｐ波」の選択ボタンから順に選択すると、図２〜図７が順次に切り替え表示されるように構成されている。
【００３５】
（図３、図４、図５の説明）
「Ｐ波」の選択ボタンを選択（クリック）すると、図２の表示画面２２Ａが表示される。右側の六角形ベンチグラフは、小さい正六角形２３ａの六つの頂点に、データベースから読み出されたＶ1誘導、Ｖ2誘導、Ｖ3誘導、Ｖ4誘導、Ｖ5誘導、Ｖ6誘導のＰ波の標準値データＰ１、Ｐ２、Ｐ３、Ｐ４、Ｐ５、Ｐ６が示され、非正六角形２４ａの六つの頂点には、被診断者のＶ1誘導、Ｖ2誘導、Ｖ3誘導、Ｖ4誘導、Ｖ5誘導、Ｖ6誘導のＰ波の診断対象値データｐ１、ｐ２、ｐ３、ｐ４、ｐ５、ｐ６が示される。
左側の六角形ベンチグラフは、小さい正六角形２３ｂの六つの頂点に、データベースから読み出されたaVR誘導，aVL誘導，aVF誘導、第Ｉ誘導，第II誘導，第III誘導のＰ波の標準値データＰ１１、Ｐ１２、Ｐ１３、Ｐ１４、Ｐ１５、Ｐ１６が示され、非正六角形２４ａの六つの頂点には、被診断者のaVR誘導，aVL誘導，aVF誘導、第Ｉ誘導，第II誘導，第III誘導のＰ波の診断対象値データｐ１１、ｐ１２、ｐ１３、ｐ１４、ｐ１５、ｐ１６が示される。
【００３６】
同様に、「Ｒ波」の選択ボタンを選択（クリック）すると、図３の表示画面２２Ｂが表示され、正六角形２３ａ、２３ｂの頂点に、Ｒ波の標準値データＲ１〜Ｒ６、Ｒ７〜Ｒ１２が示され、また非正六角形２４ａ、２４ｂの頂点に、Ｒ波の診断対象値データｒ１〜ｒ６、ｒ１１〜ｒ１６が示される。
【００３７】
また同様に、「Ｔ波」の選択ボタンを選択（クリック）すると、図４の表示画面２２Ｃが表示され、正六角形２３ａ、２３ｂの頂点に、Ｔ波の標準値データＴ１〜Ｔ６、Ｔ７〜Ｔ１２が示され、また非正六角形２４ａ、２４ｂの頂点に、Ｔ波の診断対象値データｔ１〜ｔ６、ｔ１１〜ｔ１６が示される。
【００３８】
（図６、図７、図８の説明）
「Ｐ波半値幅」の選択ボタンを選択（クリック）すると、図５の表示画面２２Ｄが表示される。右側の六角形ベンチグラフは、小さい正六角形２３ａの六つの頂点に、データベースから読み出されたＶ1誘導、Ｖ2誘導、Ｖ3誘導、Ｖ4誘導、Ｖ5誘導、Ｖ6誘導のＰ波半値幅の標準値データＷＰ１、ＷＰ２、ＷＰ３、ＷＰ４、ＷＰ５、ＷＰ６が示され、非正六角形２４ａの六つの頂点には、被診断者のＶ1誘導、Ｖ2誘導、Ｖ3誘導、Ｖ4誘導、Ｖ5誘導、Ｖ6誘導のＰ波半値幅の診断対象値データｗｐ１、ｗｐ２、ｗｐ３、ｗｐ４、ｗｐ５、ｗｐ６が示される。
左側の六角形ベンチグラフは、小さい正六角形２３ｂの六つの頂点に、データベースから読み出されたaVR誘導，aVL誘導，aVF誘導、第Ｉ誘導，第II誘導，第III誘導のＰ波半値幅の標準値データＷＰ１１、ＷＰ１２、ＷＰ１３、ＷＰ１４、ＷＰ１５、ＷＰ１６が示され、非正六角形２４ａの六つの頂点には、被診断者のaVR誘導，aVL誘導，aVF誘導、第Ｉ誘導，第II誘導，第III誘導のＰ波半値幅の診断対象値データｗｐ１１、ｗｐ１２、ｗｐ１３、ｗｐ１４、ｗｐ１５、ｗｐ１６が示される。
【００３９】
同様に、「Ｒ波半値幅」の選択ボタンを選択（クリック）すると、図６の表示画面２２Ｂが表示され、正六角形２３ａ、２３ｂの頂点に、Ｒ波半値幅の標準値データＷＲ１〜ＷＲ６、ＷＲ７〜ＷＲ１２が示され、また非正六角形２４ａ、２４ｂの頂点に、Ｒ波半値幅の診断対象値データｗｒ１〜ｗｒ６、ｗｒ１１〜ｗｒ１６が示される。
【００４０】
また同様に、「Ｔ波半値幅」の選択ボタンを選択（クリック）すると、図７の表示画面２２Ｃが表示され、正六角形２３ａ、２３ｂの頂点に、Ｔ波半値幅の標準値データＷＴ１〜ＷＴ６、ＷＴ７〜ＷＴ１２が示され、また非正六角形２４ａ、２４ｂの頂点に、Ｔ波半値幅の診断対象値データｗｔ１〜ｗｔ６、ｔ１１〜ｗｔ１６が示される。
【００４１】
六角形ベンチグラフは、基本的構成で説明したように、６本の放射直線が異なる目盛を持つ数直線であるので、心臓の症状に具合が悪い状態があれば、図２〜図７にいずれかに示す非正六角形２４ａは、正六角形２３ｂに対して頂点が大幅に異なったいびつな形状になり、かつ、キャラクタ表示部２１に記録されるミネソタコードなどを例とする標準資料に対応した特有の非正六角形になる。データベースにデータが蓄積されていくと、同じ標準資料の平均値のデータ（標準値データではない）を複数集めて平均化し、その平均値によって形成される非正六角形を参考として重畳表示できる。
【００４２】
〔実施の形態２〕
図９に、本発明の心電図情報表示方法により表示される実施の形態２にかかる八角形ベンチグラフを示す。表示画面２２Ｇには、二つの八角形ベンチグラフが左右に表示され、各八角形ベンチグラフは、小さい正八角形２３ｃ又は２３ｄと、大きい正八角形２５ｃ又は２５ｄと、非正八角形２４ｃ又は２４ｄとを備え、及びミネソタコードなどを例とする標準資料を入力表示するキャラクタ表示部２１を備えて表示する。小さい正八角形２３ｃ、２３ｄは、標準値データに係るグラフであり、非正八角形２４ｃ、２４ｄは、診断対象値データに係るグラフであり、大きい正八角形２５ｃ、２５ｄは、表示限界を示す。
【００４３】
右側の八角形ベンチグラフは、小さい正八角形２３ｃの八つの頂点にポイントを取る標準値データとして、胸部誘導での心電図測定の六つの測定電極から得られ適宜に選ばれる八つの特徴値、例えば、(1)Ｖ1誘導のＰ波（ピーク値）、(2)Ｖ2誘導のＲ波（ピーク値の絶対値）、(3)Ｖ3誘導のＴ波（ピーク値）、(4)Ｖ3誘導のＴ波の半値幅、(5)Ｖ4誘導のＲ波（ピーク値）、(6)Ｖ5誘導のＲ波（ピーク値）、(7)Ｖ5誘導のＴ波（ピーク値）、(8)Ｖ6誘導のＲ波（ピーク値）が示され、非正八角形２４ｄの八つの頂点には、標準値データの特徴値と同一の、被診断者の診断対象値データのポイントが示される。
【００４４】
同様に、左側の八角形ベンチグラフは、小さい正八角形２３ｃの八つの頂点にポイントを取る標準値データとして、例えば、四股誘導での心電図測定の六つの測定電極から得られ適宜に選ばれる八つの特徴値、例えば、(1)aVR誘導のＲ波（ピーク値の絶対値）、(2)aVL誘導のＲ波（ピーク値の絶対値）、(3)aVF誘導のＲ波（ピーク値）、(4)aVF誘導のＴ波（ピーク値）、(5)第Ｉ誘導のＲ波（ピーク値の絶対値）、(6)第II誘導のＲ波（ピーク値）、(7)第II誘導のＴ波（ピーク値）、(8)第III誘導のＲ波（ピーク値）が示され、非正八角形２４ｄの八つの頂点には、標準値データの特徴値と同一の、被診断者の診断対象値データのポイントが示される。
放射直線に対する診断対象値データのポイントの取り方、キャラクタ表示部２１等は、上述した基本的構成及び実施の形態１と同様である。
【００４５】
〔心電図測定装置の構成〕
図１０に本発明の心電図情報表示方法を実施するための心電図測定装置のブロック図を示す。この心電図測定装置３０は、被検診者Ｍの測定部位に密着させ胸部誘導による心電図測定及び／又は四肢誘導による心電図測定に供用する六つの誘導（測定電極）３１と、各誘導３１に信号送信線で接続された信号検出装置３２と、該信号検出装置３２に接続されたインターフェース３３と、該インターフェース３３に接続された信号処理装置であるＰＣ３４と、該ＰＣ３４に接続され過去の心電図波形の特徴値を標準値データとして記憶するデータベース（標準データ記憶手段）３５と、前記ＰＣ３４に接続されたプリンタ装置３６と、前記信号検出装置３２に接続され心拍信号を入力してミネソタコードなどを例とする標準資料による解析処理を行う既存の標準心電図測定装置３７とを備えている。
【００４６】
信号検出装置３２は、測定対象から周期に乱れがある準周期性の心拍信号を検出する手段を有する。ここでは、６個の誘導３１の各一において被検診者Ｍより検出した微弱な電気信号から心拍信号（電圧信号）を検出し、この心拍信号をインターフェース３３に送る。インターフェース３３は、ＰＣ３４が心拍信号を取り扱えるように、心拍信号のタイミング処理を行い、その信号をＰＣ３４へ出力する。
【００４７】
前記ＰＣ３４は、測定電極から得られた心電図波形から複数の特徴値を抽出し診断対象値データとする特徴値抽出手段（ソフトウエア）と、診断対象値データと前記標準値データとを解析する解析手段（ソフトウエア）と、表示出力装置を有する。
【００４８】
ＰＣ３４の表示出力装置は、解析手段で解析された心電図波形を表示し、そして、演算を終えた後に、心電図に表示された複数の波形からモデルとなる１つのＰＱＲＳＴＵ信号の波形を自動生成し、さらに、解析手段による解析結果を表示出力装置に出力する。
【００４９】
ＰＣ３４の表示出力装置は、前記測定電極から得られた心電図波形の特徴値と前記心電図波形を測定した測定電極との組み合わせが同一である、三組以上の標準値データ及び診断対象値データを用いて、前記表示出力装置の表示画面に、正多角形グラフと非正多角形グラフとを重畳表示する。そして、前記標準値データを正多角形グラフの各頂点に位置させ、前記診断対象値データを非正多角形グラフの各頂点に位置させて、表示する。そして、前記非正多角形グラフは、前記正多角形グラフの面積中心から各頂点を通る全ての放射直線上に頂点を有し、前記非正多角形グラフの各頂点の位置は前記標準データに対する前記診断対象値データに基づき決定され、表示される。
【００５０】
ＰＣ３４の解析手段についてさらに詳述する。解析手段は、ピーク値検出手段と、ピーク値群生成手段と、ピーク値規格化手段と、ピーク値平均化手段と、面積比算出手段と、指数化手段とを有し、上述した基本的構成、実施の形態１、２で説明した、多角形ベンチグラフを表示するための解析を行う。
ピーク値検出手段は、準周期性の心拍信号を規格化するために、該心拍信号を時間分割し、時間分割して得られた該心拍信号の連続する信号を比較し、該比較した結果から該心拍信号のピーク値を検出する。ピーク値群生成手段は、一つ若しくは複数の該ピーク値を有する該心拍信号の心拍単位のピーク値群を生成する。ピーク値規格化手段は、該ピーク値群の最大の該ピーク値で該ピーク値群の該各ピーク値を除算することにより、該ピーク値群の該各ピーク値を規格化する。ピーク値平均化手段は、単発データの信号記録における誤算の介入を小さくするために、いずれかの前記ピーク値群の最大の前記ピーク値を有する信号に全ての該ピーク値群の最大の該ピーク値を有する信号を集め、全ての該ピーク値群の該各ピーク値を有する信号を積算し、平均化する。面積比算出手段は、「心房」と「心室」の活力を比較することでき、また、心室の活力の分布に関する「血流自体の断熱緩和」と「血流と心臓壁との間」の非断熱緩和の比率を推定することができるようにするために、前記平均化後の前記ピーク値と該ピーク値を有する前記心拍信号の半値幅とを乗じた結果を該ピーク値を有する前記心拍信号の面積とし、該各面積の比を算出する。指数化手段は、前記規格化後の結果を指数化する。
【００５１】
ＰＣ３４には、心拍測定に先立って被検診者Ｍの氏名・住所、年齢、性別、コメント（測定日の体調などの情報、その他）、さらには測定日時を信号処理装置３３へ情報入力し、さらに、測定後は、グラフ表示すべき特徴値を指定したり、データベースに対する記録・読み出しの指示の入力などを行う。
【００５２】
ＰＣ３４は、信号処理装置３３から受信した心拍信号（Ｖ1〜Ｖ6又は第Ｉ、第II、第III、aVR、aVL、aVF）に基づいて計１２種の波形を形成し、表示装置に波形を表示し、生データをデータベース３５に保存させる。
詳述すると、ＰＣ３４は、測定心拍数分（例えば１０〜２００）について、各一の心拍信号において心拍一回毎に現れるＰ波の電位、Ｑの電位、Ｒ波の電位、Ｓ波の電位、ＳＴ間の電位、Ｔ波の電位、Ｕ波の電位、ＰＱ時間、ＱＴ時間、Ｐ波とＰ波の間隔時間、ＱＲＳ幅の時間等の特徴値を算出し、さらに、規格化、指数化、積算・平均化及び面積比の算出、多角形ベンチグラフを表示するための演算処理等を行い、各特徴値の標準値データをデータベース３５に記録しておく。
【００５３】
ＰＣ３４は、入力指示に従い、心電図の解析処理で得られたデータ（各種の特徴値の値）を保存する。この標準値データの記録は、被検診者Ｍの氏名、年齢及び性別と一緒にして記録するものとする。心電図測定装置３７は、ミネソタコードなどを例とする標準資料と所見と六角形グラフ表示のための信号をＰＣ３４に送る。ＰＣ３４は、ミネソタコードなどを例とする標準資料と所見と多角形ベンチグラフを表示装置に表示する。
【００５４】
該データベース３５に記録されたデータは、収集され加工されて各特徴値の標準値データが生成される。データベース３５に記録された各特徴値の標準値データは、後において、該被検診者Ｍと同性・略同年齢の他の被検診者Ｍに対する心電図測定を行い、その際に該他の被検診者Ｍに属する標準値データがデータベースに記録されていない場合において六角形グラフ表示を行うときにも利用される。これらの利用は、ＰＣ３４へ性別・年齢等を入力して決定される。
【００５５】
〔その他の実施の形態〕
本発明は上記実施の形態にこれに限定されるものでなく、特許請求の範囲に記載された発明の要旨を逸脱しない範囲内での種々、設計変更した形態を技術的範囲に含むものである。
【００５６】
多角形ベンチグラフの表示は、六角形ベンチグラフや八角形ベンチグラフの表示に限定されない。例えば、三角形ベンチグラフの表示も含まれる。すなわち、ＰＣへ年齢及び性別を入力して３つの測定電極と各一測定電極に関する特徴値を入力して、データベースから三つの標準値データを読み出して正三角形グラフを表示し、そして、被診断者の診断対象値データをＰＣの記憶部から読み出して非正三角形グラフを重畳表示する構成も含む。
【００５７】
グラフ表示される特徴値は、ディフォルトとして限定されても良いし、ディフォルトでなくても良い。ＰＣにおいて、所望の測定電極と特徴値を関係づけて三つ以上選択できるようになっていて、選択数に応じて、多角形のグラフが決定されるように構成されている場合も含まれる。
【００５８】
上述した基本的構成においては、多角形ベンチグラフに示される放射直線は、中心又は中心付近がゼロで正比例目盛を持つ数直線として、被診断者の診断対象値データのポイント取りについて説明した。すなわち、正多角形グラフを表示し、該正多角形グラフの各頂点に心電図測定の心拍信号から得られた所望の複数の標準値データを位置させる場合に、前記標準値データと同一要素の複数の診断対象値データを、前記正多角形グラフの面積中心から各頂点を通る放射直線上に、原則として対応する前記各標準値データに対して正比例する位置にポイントを取り、隣接するポイント同士を直線で結んで診断対象値多角形グラフを重畳表示する、ことを説明した。しかし、本発明は、これに限定されない。放射直線は、メモリピッチが同じでゼロポイントがずれている目盛を持つ数直線である場合も含まれる。また、尺度が異なるメモリピッチの目盛を持つ数直線である場合も含まれる。
【図面の簡単な説明】
【００５９】
【図１】本発明の心電図情報表示方法の基本的構成を説明するための図である。
【図２】心電図波形を示す図である。
【図３】実施の形態１に係る心電図情報表示方法による一の表示状態を示す表示装置の表示画面図である。
【図４】実施の形態１に係る心電図情報表示方法による他の表示状態を示す表示装置の表示画面図である。
【図５】実施の形態１に係る心電図情報表示方法による他の表示状態を示す表示装置の表示画面図である。
【図６】実施の形態１に係る心電図情報表示方法による他の表示状態を示す表示装置の表示画面図である。
【図７】実施の形態１に係る心電図情報表示方法による他の表示状態を示す表示装置の表示画面図である。
【図８】実施の形態１に係る心電図情報表示方法による他の表示状態を示す表示装置の表示画面図である。
【図９】実施の形態２に係る心電図情報表示方法による他の表示状態を示す表示装置の表示画面図である。
【図１０】本発明の心電図情報表示方法を実施するための心電図測定装置のブロック図である。
【符号の説明】
【００６０】
１１  表示画面
１２  正六角形
１３  非正六角形
１５，１６，１７，１８，１９，２０  放射直線
２１  キャラクタ表示部、
２２Ａ〜２２Ｇ  表示画面
２３ａ、２３ｂ、２３ｃ、２３ｄ  正六角形
２４ａ、２４ｂ、２４ｃ、２４ｄ  非正六角形
３０  心電図測定装置
３１  誘導（測定電極）
３２  信号検出装置
３４  ＰＣ（信号処理装置）
３５  データベース（標準データ記憶手段）
３７  標準心電図測定装置
【図１】
2009090013.tif 000003
【図２】
2009090013.tif 000004
【図３】
2009090013.tif 000005
【図４】
2009090013.tif 000006
【図５】
2009090013.tif 000007
【図６】
2009090013.tif 000008
【図７】
2009090013.tif 000009
【図８】
2009090013.tif 000010
【図９】
2009090013.tif 000011
【図１０】
2009090013.tif 000012
【手続補正書】
【提出日】平成19年10月12日(2007.10.12)
【手続補正１】
【補正対象書類名】図面
【補正対象項目名】図２
【補正方法】変更
【補正の内容】
【図２】
2009090013.tif 000013